(57)【要約】【課題】データ放送においてコンテンツデータの属性データをＸＭＬ等の汎用的なデータ形式で記述すると共に、コンテンツデータとその属性データを時間情報で関連付けて同期再生できるようにする。【解決手段】データ受信装置２０は、コンテンツデータと該コンテンツデータの属性データが対応付けられた付加データとを受信するチューナ部２１と、受信した付加データの内容を解析する付加データ解析手段３０ａとを備え、その解析結果に基づいて付加データ中の属性データをコンテンツデータに同期させて再生する。前記付加データは、ＸＭＬのデータ形式で記述され、前記コンテンツデータと該コンテンツデータの属性データを同期再生させるために、両者を時間情報で対応付けたデータ構造を有する。【選択図】図３
2007288324.tif 000002
【特許請求の範囲】
【請求項１】
コンテンツデータを送信するデータ送信装置において、
コンテンツデータと該コンテンツデータの属性データとを対応付けるための付加データを生成する付加データ生成手段と、該生成した付加データを前記コンテンツデータと共に送信する送信手段とを備えていることを特徴とするデータ送信装置。
【請求項２】
前記付加データは、前記コンテンツデータとその属性データを同期再生させるために、両者を時間情報で対応付けたデータ構造を有することを特徴とする請求項１に記載のデータ送信装置。
【請求項３】
前記付加データは、前記コンテンツデータの再生開始から終了までの再生時間を含むことを特徴とする請求項２に記載のデータ送信装置。
【請求項４】
前記付加データは、１つ以上の属性データが記述され、且つ、各属性データの有効性を排他的に書き換え可能としたことを特徴とする請求項２に記載のデータ送信装置。
【請求項５】
前記付加データは、ＸＭＬのデータ形式で記述されていることを特徴とする請求項１乃至４のいずれか１項に記載のデータ送信装置。
【請求項６】
コンテンツデータを受信するデータ受信装置において、
コンテンツデータと該コンテンツデータの属性データが対応付けられた付加データとを受信する受信手段と、該受信した付加データの内容を解析する解析手段とを備え、その解析結果に基づいて前記付加データ中の属性データを前記コンテンツデータに同期させて再生することを特徴とするデータ受信装置。
【請求項７】
前記付加データは、前記コンテンツデータと該コンテンツデータの属性データを同期再生させるために、両者を時間情報で対応付けたデータ構造を有することを特徴とする請求項６に記載のデータ受信装置。
【請求項８】
前記付加データは、前記コンテンツデータの再生開始から終了までの再生時間を含むことを特徴とする請求項７に記載のデータ受信装置。
【請求項９】
前記付加データは、１つ以上の属性データが記述され、且つ、各属性データの有効性を排他的に書き換え可能とし、
前記データ受信装置は、コンテンツデータの切り換え時に、前記付加データ中の属性データの有効性を書き換える手段を備えていることを特徴とする請求項７に記載のデータ受信装置。
【請求項１０】
前記付加データは、ＸＭＬのデータ形式で記述されていることを特徴とする請求項６乃至９のいずれか１項に記載のデータ送信装置。
【請求項１１】
請求項１乃至５のいずれか１項に記載のデータ送信装置と、請求項６乃至１０のいずれか１項に記載のデータ受信装置とがネットワークを介して接続されたデータ送受信システム。
【発明の詳細な説明】
【技術分野】
【０００１】
本発明は、データ送信装置、データ受信装置、及びデータ送受信システム、より詳細には、デジタル放送において映像、音声、文字などのコンテンツデータを送受信するためのデータ送信装置、データ受信装置、及びデータ送受信システムに関する。
【背景技術】
【０００２】
近年、ＸＭＬ（ｅＸｔｅｎｓｉｂｌｅ  Ｍａｒｋｕｐ  Ｌａｎｇｕａｇｅ、以下、ＸＭＬと表記）を用いたデータの送受信が盛んに行われている。このＸＭＬは、ＸＭＬ文書の意味内容を階層構造化し、タグを用いて情報を記述することができるタグ付け記述言語である。これによれば、タグを任意に定義することができ、さらに、タグ名や階層構造などの記述方法に制約が少ないため、ユーザが自由にＸＭＬ文書を設計することが可能となる。
【０００３】
また、ＸＭＬ文書は、その変換規則を定義するためのＸＳＬ（ｅＸｔｅｎｓｉｂｌｅ  Ｓｔｙｌｅｓｈｅｅｔ  Ｌａｎｇｕａｇｅ、以下、ＸＳＬと表記）を持つ。このＸＳＬによれば、ＸＭＬ文書に対して、スタイルを設定し、画面のレイアウトや印刷の書式などを整えることが可能となる。
【０００４】
このように、ＸＭＬは、データとしてのＸＭＬ文書と、変換規則を定めたＸＳＬ文書とから構成されているため、１つのデータから様々な形態の出力を得ることができるようになっている。
【０００５】
一方、デジタルテレビジョン放送（デジタル放送）では映像、音声データと共に、マルチメディア表現を行うためにデータ放送用の文字データが重畳して伝送されており、これにより視聴者に対して種種の付加価値情報を提供することが可能となっている。この付加価値情報としては、リアルタイムで提供される映像、音声等の提供コンテンツに関するタイトル、作成者等を表示するために、該コンテンツの属性データが含まれている場合がある。
【０００６】
現在、デジタル放送におけるデータ放送で用いられる文字データは、上述したＸＭＬの応用言語であるＢＭＬ（Ｂｒｏａｄｃａｓｔ  Ｍａｒｋｕｐ  Ｌａｎｇｕａｇｅ、以下、ＢＭＬと表記）文書で記述されており、受信機は当該ＢＭＬ文書によって構造化されたデータを解析して、所定の形式で表示を行っている。
【０００７】
一方、デジタル放送においては上記コンテンツに関する属性データ（以下、しばしばメタデータという）はＳＩ（Ｓｅｒｖｉｃｅ  Ｉｎｆｏｒｍａｔｉｏｎ）として記述されている。このＳＩには、例えば、番組内容、番組開始時刻、番組継続時間、ジャンル情報等で構成される番組情報が含まれる。
【０００８】
例えば、特許文献１には、上記ＳＩを利用してメタデータを提供する方法が記載されている。これは、楽曲データの配信を可能とすると共に、楽曲に付随する歌詞等の情報を、楽曲と同期して提示できるようにしたもので、付随情報として、楽曲の歌詞の他に、楽曲の説明、アーティストの説明、楽曲に関する画像などのデータが提供される。
【特許文献１】特開２０００−３６７９５号公報
【発明の開示】
【発明が解決しようとする課題】
【０００９】
しかしながら、ＢＭＬ文書にて記述される現行のデータ放送用データ形式には、コンテンツに関するメタデータを明示的に意味するタグは定義されておらず、主に表示（画面レイアウト）を目的として提供されているだけであるため、受信機側では、これをメタデータとして利用することはできない。
【００１０】
例えば、リアルタイムで映像・音楽を提供する音楽情報番組において、同時にデータ放送にて楽曲名等のコンテンツメタデータが提示される場合を想定する。この場合、受信機側では番組中で提示された楽曲とデータ放送中の楽曲名を直接関連付けることができないため、データ放送で提供されるＢＭＬデータをメタデータとして利用することはできない。
【００１１】
一方、上記特許文献１に記載されているＳＩでの記述の場合、ＸＭＬベースの記述形式のような拡張性が無いため、メタデータの詳細な分類（項目と階層の自由な追加）を行うことはできない。また、ＳＩのデータ形式は、ＸＭＬのような汎用的なデータ形式ではないため、ユーザが自由に手を入れることができず、設計の自由度が低いという問題があった。
【００１２】
本発明は、上述のごとき実情に鑑みてなされたものであり、データ放送等においてコンテンツデータの属性データをＸＭＬ等の汎用的なデータ形式で記述すると共に、コンテンツデータとその属性データを時間情報で関連付けて同期再生できるようにしたデータ送信装置、データ受信装置、及びデータ送受信システムを提供すること、を目的とする。
【課題を解決するための手段】
【００１３】
上記課題を解決するために、本発明の第１の技術手段は、コンテンツデータを送信するデータ送信装置において、コンテンツデータと該コンテンツデータの属性データとを対応付けるための付加データを生成する付加データ生成手段と、該生成した付加データを前記コンテンツデータと共に送信する送信手段とを備えていることを特徴としたものである。
【００１４】
第２の技術手段は、第１の技術手段において、前記付加データは、前記コンテンツデータとその属性データを同期再生させるために、両者を時間情報で対応付けたデータ構造を有することを特徴としたものである。
【００１５】
第３の技術手段は、第２の技術手段において、前記付加データは、前記コンテンツデータの再生開始から終了までの再生時間を含むことを特徴としたものである。
【００１６】
第４の技術手段は、第２の技術手段において、前記付加データは、１つ以上の属性データが記述され、且つ、各属性データの有効性を排他的に書き換え可能としたことを特徴としたものである。
【００１７】
第５の技術手段は、第１乃至第４のいずれか１の技術手段において、前記付加データは、ＸＭＬのデータ形式で記述されていることを特徴としたものである。
【００１８】
第６の技術手段は、コンテンツデータを受信するデータ受信装置において、コンテンツデータと該コンテンツデータの属性データが対応付けられた付加データとを受信する受信手段と、該受信した付加データの内容を解析する解析手段とを備え、その解析結果に基づいて前記付加データ中の属性データを前記コンテンツデータに同期させて再生することを特徴としたものである。
【００１９】
第７の技術手段は、第６の技術手段において、前記付加データは、前記コンテンツデータと該コンテンツデータの属性データを同期再生させるために、両者を時間情報で対応付けたデータ構造を有することを特徴としたものである。
【００２０】
第８の技術手段は、第７の技術手段において、前記付加データは、前記コンテンツデータの再生開始から終了までの再生時間を含むことを特徴としたものである。
【００２１】
第９の技術手段は、第７の技術手段において、前記付加データは、１つ以上の属性データが記述され、且つ、各属性データの有効性を排他的に書き換え可能とし、前記データ受信装置は、コンテンツデータの切り換え時に、前記付加データ中の属性データの有効性を書き換える手段を備えていることを特徴としたものである。
【００２２】
第１０の技術手段は、第６乃至第９のいずれか１の技術手段において、前記付加データは、ＸＭＬのデータ形式で記述されていることを特徴としたものである。
【００２３】
第１１の技術手段は、第１乃至第５のいずれか１の技術手段におけるデータ送信装置と、第６乃至第１０のいずれか１の技術手段におけるデータ受信装置とがネットワークを介して接続されたデータ送受信システムである。
【発明の効果】
【００２４】
本発明によれば、データ放送等においてコンテンツデータの属性データをＸＭＬ等の汎用的なデータ形式で記述すると共に、コンテンツデータとその属性データを時間情報で関連付けて同期再生できるため、ユーザによる自由な文書設計が行え、様々な属性データをコンテンツデータと同期させてユーザに提供することができる。
【発明を実施するための最良の形態】
【００２５】
本発明に係るデータ受信装置、データ送信装置、及びデータ送受信システムは、データ放送等においてコンテンツデータのメタデータをＸＭＬ等の汎用的なデータ形式で記述すると共に、コンテンツデータとそのメタデータを時間情報で関連付けて同期再生できるようにしたものである。より具体的には、ＸＭＬ形式のタグとしてメタデータ用のタグを設け、さらに、タグの属性として、ＸＭＬファイル内での有効性を定義すると共に、対応するＡＶデータストリーム中の特定コンテンツと同期させるための時間情報を記述する。これらの属性値はイベントメッセージによってコンテンツの開始タイミングで切り換えられるように構成される。
【００２６】
以下、添付図面を参照しながら、本発明に係るデータ送信装置、データ受信装置、及びデータ送受信システムの好適な実施の形態について説明する。
【００２７】
図１は、本発明の一実施形態に係るデータ送受信システムの構成例を示す図で、図中、１はネットワーク、１０はデータ送信装置、２０はデータ受信装置を示す。データ送信装置１０は、放送事業者等の設備として設けられ、楽曲データなどのコンテンツデータをデジタル放送網などのネットワーク１へ送出する。データ受信装置２０は、例えば、テレビジョン受像装置等であって、ネットワーク１からコンテンツデータを受信して再生処理を行う。以下、図１に示すデータ送受信システムにおいて、データ放送で楽曲データ及び該楽曲データに関するメタデータを提供する音楽情報番組を送受信する場合を例示して説明する。
【００２８】
図２は、図１に示したデータ送信装置１０の構成例を示すブロック図である。図中、データ送信装置１０は、楽曲データなどのコンテンツデータを記憶したコンテンツＤＢ１１と、楽曲データと該楽曲データのメタデータとを対応付けるための付加データを生成する付加データ生成手段１２と、コンテンツＤＢ１１の楽曲データをエンコードするエンコーダ１３と、付加データ生成手段１２で生成された付加データとエンコーダ１３でエンコードされたコンテンツデータを時分割多重化すると共に、所定のキー情報を用いて暗号化するマルチプレクサ１４と、マルチプレクサ１４からのコンテンツデータ及び付加データをトランスポートストリームとしてネットワーク１に送信する送信手段１５とを備える。
【００２９】
付加データ生成手段１２の一実施形態としては、後述の図５に示すように、ＸＭＬ文書において、ＸＭＬ形式のタグとしてメタデータ用のタグを１つ以上設け、さらに、タグの属性として、ＸＭＬファイル内での有効性を定義すると共に、対応するＡＶデータストリーム中の特定の楽曲と同期させるための時間情報を記述する。この時間情報には、楽曲の再生開始から終了までの再生時間を含むようにしてもよい。
【００３０】
上記のタグ内では、曲名、歌詞、アーティスト名、ジャンル、プロモーションビデオやジャケット用画像へのリンク等の属性がタグで定義される。これらの属性はさらに階層化することも可能である。また、上記の時間情報や、各属性値の有効／無効は、データ受信装置２０側において、データ送信装置１０からＸＭＬファイルと共に送信されるイベントメッセージによって、対応する楽曲の開始タイミングで切り換え可能に構成される。
【００３１】
本実施形態におけるデータ送信装置１０は、放送事業者側の設備として設けられており、映像、音声、文字などの各種のコンテンツデータを配信可能としている。このデータ送信装置１０によって送出されるデータは、楽曲データそのものに対応するオーディオデータ、曲名等のメタデータを含む付加データであるデータ放送用データ、プロモーションビデオやジャケットの静止画等に対応するビデオデータなどから構成され、これらのデータはデータ送信装置１０で多重化されてトランスポートストリームとして送信される。
【００３２】
図３は、図１に示したデータ受信装置２０の構成例を示すブロック図である。図中、データ受信装置２０は、例えば、テレビジョン受像装置であって、チューナ部２１、デスクランブラ２２、デマルチプレクサ２３、デコーダ２４、画面構成部２５、表示制御部２６、画像表示部２７、ＤＡＣ（デジタル・アナログコンバータ）２８、音声出力部２９、システム制御部３０、及びメモリ３１を備える。
【００３３】
図３において、チューナ部２１は、電波（アンテナ）やケーブル等により伝送されてくるデジタル放送信号を受信・復調し、１つのトランスポートストリームを出力する。チューナ部２１では１つのチャンネルが選局されるが、実際にはその中に複数の番組が多重化されている。チューナ部２１で選択された番組信号は、ＱＡＭやＱＰＳＫなどの方式で変調されているため、これを復調するための復調処理が施され、その結果、前述した楽曲データ，メタデータを含む付加データであるデータ放送用データ，ビデオデータなどが多重化されたトランスポートストリームが得られる。
【００３４】
デスクランブラ２２は、チューナ部２１からのトランスポートストリームを所定のキー情報により解読（デスクランブル）して、デマルチプレクサ２３に出力する。デマルチプレクサ２３は、デスクランブラ２２で解読されたトランスポートストリームを楽曲データ、データ放送用データ、ビデオデータなどに分離・出力する。
【００３５】
システム制御部３０は、データ受信装置２０の動作を制御するためのＣＰＵなどで構成され、メモリ３１は、データ受信装置２０としての機能を実行するための制御プログラムやデータを格納したＲＯＭなどの半導体メモリで構成されている。また、システム制御部３０は、デマルチプレクサ２３で分離されたデータ放送用データの内容を解析する付加データ解析手段３０ａを備え、その解析結果に基づいてデータ放送用データ中のメタデータを楽曲データに同期させて再生するようにデコーダ２４を制御する。
【００３６】
デコーダ２４は、曲名等のメタデータあるいはメタデータでリンクされたプロモーションビデオ、ジャケットの静止画等の表示用データをデコードし、この表示用データを、表示制御部２６を介して画像表示部２７から出力すると共に、楽曲データをデコードし、この楽曲データを、ＤＡＣ２８でデジタル−アナログ変換して音声出力部２９から出力する。このとき、上記表示用データ及び楽曲データは、後述するデータ放送用データに含まれる時間情報に基づいて同期再生される。
【００３７】
このように、システム制御部３０は、付加データ解析手段３０ａによる解析の結果に従って、デコーダ２４を制御して、データ放送用データに含まれる時間情報に基づいて、表示用データと楽曲データを同期させてそれぞれの出力部（画像表示部２７、音声出力部２９）から出力できるように制御する。
【００３８】
この際、画面構成部２５は、データ放送用データに含まれる画面レイアウト情報に従って、表示用データをレイアウト表示するように表示制御部２６に指示する。表示制御部２６は、画像表示部２７を制御して、画面構成部２５から指示された画面レイアウトで表示用データを表示させる。画像表示部２７は、ＬＣＤ（Ｌｉｑｕｉｄ  Ｃｒｙｓｔａｌ  Ｄｉｓｐｌａｙ：液晶ディスプレイ）などの表示手段である。
【００３９】
図４は、本発明に係るデータ放送用データの伝送方式の一例を説明するための図である。本発明の主たる特徴部分であるＸＭＬベースのマルチメディア文書であるＸＭＬファイル４１は、図４に示すデータカルーセル伝送方式によって、データ送信装置１０から伝送される。また、カルーセル伝送方式と併用されるイベントメッセージ伝送方式は、データ受信装置２０上で実行中のコンテンツに対して任意のタイミングで特定の処理を行うためのメッセージング方式である。
【００４０】
図４において、ＡＶデータストリーム４３には、例えば、ｔｒａｃｋ１、ｔｒａｃｋ２、ｔｒａｃｋ３、…の順に複数の楽曲データが含まれている。イベントメッセージ４２はＸＭＬファイル４１と共にデータ送信装置１０から送出され、データ受信装置２０は、イベントメッセージ４２を受信すると、当該メッセージ内で指定される特定のＸＭＬファイル４１に対して、特定の時刻に特定の再生開始時刻及び再生時間情報への書き換えを行い、さらに特定のメタデータタグを有効にし、それ以外のメタデータタグを無効に設定する。これらの再生開始時刻及び再生時間情報の書き換え処理及びメタデータの有効性の書き換え処理は、システム制御部３０によって実行される。
【００４１】
図５は、ＡＶデータストリーム中のコンテンツ切り換えに同期してイベントメッセージによるデータ放送用データの属性値書き換え処理の一例を説明するための図である。図中、ＸＭＬファイル４１は、ファイルの再生開始時刻及び再生時間４１ａ、メタデータ記述４１ｂ、及びメタデータの有効性記述４１ｃにより構成される。
【００４２】
本例において、データ放送で利用されるＸＭＬベースのデータは、メタデータ記述４１ｂに示すように、ＡＶデータストリーム４３中の特定のコンテンツ（ｔｒａｃｋ１，ｔｒａｃｋ２，…）に対するメタデータを記述するためのタグが追加される。このタグ内ではさらに、曲名、アーティスト名、ジャンル、ジャケット用画像へのリンク等の属性がタグで定義される。これらの属性はさらに階層化することも可能である。
【００４３】
また、メタデータの有効性記述４１ｃは、上記メタデータ記述４１ｂと対応する特定の映像、音声データを関連付けるために、メタデータタグの属性として、ＸＭＬファイル内での有効性を定義し、さらに、ファイルの再生開始時刻及び再生時間４１ａに示すように、ＸＭＬファイルの属性として、同期する映像、音声パケットを再生開始時刻及び再生時間によって定義する。これらによってファイル内の特定のメタデータタグとストリーム中の特定の映像、音声データを関連付けることが可能となる。
【００４４】
ＸＭＬファイル４１と共に伝送されるイベントメッセージ４２によって、例えば楽曲のようなコンテンツの開始時刻に同期してその属性値の切り換えを行う。すなわち、データ受信装置２０は、イベントメッセージ４２を受信すると、図５に示すようにメッセージ内で指定される特定のＸＭＬファイル４１に対して、特定の時刻に特定の再生開始時刻及び再生時間情報への変更を行い、さらに特定のメタデータタグを有効にし、それ以外のメタデータタグを無効に設定する処理を行う。
【００４５】
本例においては、楽曲であるｔｒａｃｋ１からｔｒａｃｋ２へコンテンツの切り換え時に、イベントメッセージ４２によって、再生開始時刻１及び再生時間１が再生開始時刻２及び再生時間２へ書き換えられ、さらに、ｔｒａｃｋ１が有効から無効へ、ｔｒａｃｋ２が無効から有効へ書き換えられる。
【００４６】
このように、データ受信装置２０側では番組内のＡＶデータストリームから映像・音声データを特定のコンテンツ単位で切り出すことが可能となり、さらに切り出したデータと対応するメタデータを関連付けることが可能となるため、データを記録する際に楽曲等の特定のコンテンツデータに直接メタデータを埋め込むといったことも可能となる。
【００４７】
また、上記のような有効性を示す属性値は、前述したＸＳＬにて変換規則を定義することでメタデータの表示制御に利用することも可能である。例えば表示させる楽曲リストの中で再生中の曲名に対して再生中であることを示すための表示に切り換えるというような利用も可能となる。
【００４８】
以上説明したように、本発明によれば、データ放送等においてコンテンツデータの属性データをＸＭＬ等の汎用的なデータ形式で記述すると共に、コンテンツデータとその属性データを時間情報で関連付けて同期再生できるため、ユーザによる自由な文書設計が行え、様々な属性データをコンテンツデータと同期させてユーザに提供することができる。
【図面の簡単な説明】
【００４９】
【図１】本発明の一実施形態に係るデータ送受信システムの構成例を示す図である。
【図２】図１に示したデータ送信装置の構成例を示すブロック図である。
【図３】図１に示したデータ受信装置の構成例を示すブロック図である。
【図４】本発明に係るデータ放送用データの伝送方式の一例を説明するための図である。
【図５】ＡＶデータストリーム中のコンテンツ切り換えに同期してイベントメッセージによるデータ放送用データの属性値変更処理の一例を説明するための図である。
【符号の説明】
【００５０】
１…ネットワーク、１０…データ送信装置、１１…コンテンツＤＢ、１２…付加データ生成手段、１３…エンコーダ、１４…マルチプレクサ、１５…送信手段、２０…データ受信装置、２１…チューナ部、２２…デスクランブラ、２３…デマルチプレクサ、２４…デコーダ、２５…画面構成部、２６…表示制御部、２７…画像表示部、２８…ＤＡＣ、２９…音声出力部、３０…システム制御部、３０ａ…付加データ解析手段、３１…メモリ、４１…ＸＭＬファイル、４１ａ…ファイルの再生開始時刻及び再生時間、４１ｂ…メタデータ記述、４１ｃ…メタデータの有効性記述、４２…イベントメッセージ、４３…ＡＶデータストリーム。
【図１】
2007288324.tif 000003
【図２】
2007288324.tif 000004
【図３】
2007288324.tif 000005
【図４】
2007288324.tif 000006
【図５】
2007288324.tif 000007